(57)【要約】      （修正有）【課題】位置を示すＩＤを表記したマークであって、ユーザの位置および視線方向の検出に活用でき、かつ、ユーザに方向を指示する際に役立つようデザインされた環状ＩＤマークを自動的に生成する環状ＩＤマーク生成装置，環状ＩＤマーク生成方法を提供する。【解決手段】ＩＤ，環状ＩＤマークを設置する位置情報などを含む位置方向ＩＤ情報を管理する管理手段１ｄで情報を管理する。前記環状ＩＤマークの位置情報を指定する。次に、前記指定された位置に関する指示方向の数を特定する位置方向ＩＤの文字数を決定し、前記管理手段１ｄに既に格納されてる位置方向ＩＤと重複しない、かつ、前記決定された文字数に基づいて構成された新たな位置方向ＩＤを生成する。そして、前記生成された新たな位置方向ＩＤを構成する文字を環状に配置し、かつ、各文字が前記指示方向を指示するようにデザインした環状ＩＤマークを出力する。【選択図】図１
2008122739.tif 000002
【特許請求の範囲】
【請求項１】
１文字以上の異なる文字から構成され、位置と方向を特定するＩＤである位置方向ＩＤを表示し、かつ、該ＩＤを構成する各文字を環状に配置し、各文字が方向を指示するようにデザインされた環状ＩＤマークのデザイン情報を生成する環状ＩＤマーク生成装置であって、
前記ＩＤ，環状ＩＤマークを設置する位置情報，視線方向を示す方向情報を含む位置方向ＩＤ情報を管理する位置方向ＩＤ管理手段と、
前記環状ＩＤマークの位置情報を指定する位置指定手段と、
前記指定された位置情報に関する指示方向の数を特定する位置方向ＩＤの文字数を決定する文字数決定手段と、
前記位置方向ＩＤ管理手段に既に格納されている位置方向ＩＤと重複しない、かつ、前記決定された文字数に基づいて構成された新たな位置方向ＩＤを生成する文字列決定手段と、
前記位置情報，前記新たな位置方向ＩＤ，前記新たな位置方向ＩＤに応じた前記方向情報を前記位置方向ＩＤ管理手段に格納する位置方向ＩＤ格納手段と、
前記生成された新たな位置方向ＩＤを構成する文字を環状に配置し、かつ、各文字が前記指示方向を指示するようにデザインした環状ＩＤマークのデザイン情報、を出力する環状ＩＤマーク生成手段と、
を備えることを特徴とする環状ＩＤマーク生成装置。
【請求項２】
請求項１に記載の環状ＩＤマーク生成装置において、
前記文字列決定手段が、
前記位置方向ＩＤ管理手段に既に格納されている位置方向ＩＤと重複しない、かつ、前記決定された文字数に基づいて構成された一つの新たな位置方向ＩＤを生成し、該一つの新たな位置方向ＩＤを巡回シフトして得られる他の新たな位置方向ＩＤを生成する手段、
を備え、
前記位置方向ＩＤ格納手段が、
前記位置情報，前記一つの新たな位置方向ＩＤ，前記一つの新たな位置方向ＩＤに応じた前記方向情報を前記位置方向ＩＤ管理手段を使って格納し、前記位置情報，それぞれの他の新たな位置方向ＩＤに応じた前記方向情報を組み合わせて前記位置方向ＩＤ管理手段を使って格納する手段、
を備える、
ことを特徴とする環状ＩＤマーク生成装置。
【請求項３】
請求項１または２に記載の環状ＩＤマーク生成装置において、
地図情報における経路情報を含む地図経路情報を管理する地図経路情報管理手段と、
前記文字数決定手段が、
前記地図経路情報管理手段を使って、前記指定された位置情報を起点として移動できる経路の数を特定し、特定できた経路の数を、位置方向ＩＤを構成する文字数と見做して決定する手段、
を備える、
ことを特徴とする環状ＩＤマーク生成装置。
【請求項４】
前記請求項３に記載の環状ＩＤマーク生成装置において、
前記環状ＩＤマーク生成手段が、
前記地図経路情報管理手段を用いて、前記指定された位置情報と、該位置情報を起点に移動できる経路方向を前記指示方向と見做し、該指示方向に基づいて、前記生成された新たな位置方向ＩＤを構成する文字を環状に配置し、かつ、各文字が前記指示方向を指示するようにデザインした環状ＩＤマークのデザイン情報を出力する手段、
を備えることを特徴とする環状ＩＤマーク生成装置。
【請求項５】
１文字以上の異なる文字から構成され、位置と方向を特定するＩＤである位置方向ＩＤを表示し、かつ、該ＩＤを構成する各文字を環状に配置し、各文字が方向を指示するようにデザインされた環状ＩＤマークのデザイン情報を生成し、
前記ＩＤ，環状ＩＤマークを設置する位置情報，視線方向を示す方向情報を含む位置方向ＩＤ情報を管理する位置方向ＩＤ管理手段を備える装置、
に使用される環状ＩＤマーク生成方法であって、
前記環状ＩＤマークの位置情報を指定する位置指定ステップと、
前記指定された位置情報に関する指示方向の数を特定する位置方向ＩＤの文字数を決定する文字数決定ステップと、
前記位置方向ＩＤ管理手段に既に格納されている位置方向ＩＤと重複しない、かつ、前記決定された文字数に基づいて構成された新たな位置方向ＩＤを生成する文字列決定ステップと、
前記位置情報，前記新たな位置方向ＩＤ，前記新たな位置方向ＩＤに応じた前記方向情報を前記位置方向ＩＤ管理手段に格納する位置方向ＩＤ格納ステップと、
前記生成された新たな位置方向ＩＤを構成する文字を環状に配置し、かつ、各文字が前記指示方向を指示するようにデザインした環状ＩＤマークのデザイン情報、を出力する環状ＩＤマーク生成ステップと、
を有することを特徴とする環状ＩＤマーク生成方法。
【請求項６】
請求項５に記載の環状ＩＤマーク生成方法において、
前記文字列決定ステップが、
前記位置方向ＩＤ管理手段に既に格納されている位置方向ＩＤと重複しない、かつ、前記決定された文字数に基づいて構成された一つの新たな位置方向ＩＤを生成し、該一つの新たな位置方向ＩＤを巡回シフトして得られる他の新たな位置方向ＩＤを生成するステップ、
を有し、
前記位置方向ＩＤ格納ステップが、
前記位置情報，前記一つの新たな位置方向ＩＤ，前記一つの新たな位置方向ＩＤに応じた前記方向情報を前記位置方向ＩＤ管理手段を使って格納し、前記位置情報，それぞれの他の新たな位置方向ＩＤに応じた前記方向情報を組み合わせて前記位置方向ＩＤ管理手段を使って格納するステップ、
を有する、
ことを特徴とする環状ＩＤマーク生成方法。
【請求項７】
１文字以上の異なる文字から構成され、位置と方向を特定するＩＤである位置方向ＩＤを表示し、かつ、該ＩＤを構成する各文字を環状に配置し、各文字が方向を指示するようにデザインされた環状ＩＤマークのデザイン情報を生成し、
前記ＩＤ，環状ＩＤマークを設置する位置情報，視線方向を示す方向情報を含む位置方向ＩＤ情報を管理する位置方向ＩＤ管理手段と、
地図情報における経路情報を含む地図経路情報を管理する地図経路情報管理手段と、
を備える装置、
に使用される環状ＩＤマーク生成方法であって、
前記環状ＩＤマークの位置情報を指定する位置指定ステップと、
前記指定された位置情報に関する指示方向の数を特定する位置方向ＩＤの文字数を決定する文字数決定ステップと、
前記位置方向ＩＤ管理手段に既に格納されている位置方向ＩＤと重複しない、かつ、前記決定された文字数に基づいて構成された新たな位置方向ＩＤを生成する文字列決定ステップと、
前記位置情報，前記新たな位置方向ＩＤ，前記新たな位置方向ＩＤに応じた前記方向情報を前記位置方向ＩＤ管理手段に格納する位置方向ＩＤ格納ステップと、
前記生成された新たな位置方向ＩＤを構成する文字を環状に配置し、かつ、各文字が前記指示方向を指示するようにデザインした環状ＩＤマークのデザイン情報、を出力する環状ＩＤマーク生成ステップと、
を有し、
前記文字数決定ステップが、
前記地図経路情報管理手段を使って、前記指定された位置情報を起点として移動できる経路の数を特定し、特定できた経路の数を、位置方向ＩＤを構成する文字数と見做して決定するステップ、
を有する、
ことを特徴とする環状ＩＤマーク生成方法。
【請求項８】
請求項７に記載の環状ＩＤマーク生成方法において、
前記文字列決定ステップが、
前記位置方向ＩＤ管理手段に既に格納されてる位置方向ＩＤと重複しない、かつ、前記決定された文字数に基づいて構成された一つの新たな位置方向ＩＤを生成し、該一つの新たな位置方向ＩＤを巡回シフトして得られる他の新たな位置方向ＩＤを生成するステップ、
を有し、
前記位置方向ＩＤ格納ステップが、
前記位置情報，前記一つの新たな位置方向ＩＤ，前記一つの新たな位置方向ＩＤに応じた前記方向情報を前記位置方向ＩＤ管理手段を使って格納し、前記位置情報，それぞれの他の新たな位置方向ＩＤに応じた前記方向情報を組み合わせて前記位置方向ＩＤ管理手段を使って格納するステップ、
を有する、
ことを特徴とする環状ＩＤマーク生成方法。
【請求項９】
前記請求項７または８に記載の環状ＩＤマーク生成方法において、
前記環状ＩＤマーク生成ステップが、
前記地図経路情報管理手段を用いて、前記指定された位置情報と、該位置情報を起点に移動できる経路方向を前記指示方向と見做し、該指示方向に基づいて、前記生成された新たな位置方向ＩＤを構成する文字を環状に配置し、かつ、各文字が前記指示方向を指示するようにデザインした環状ＩＤマークのデザイン情報を出力するステップ、
を有することを特徴とする環状ＩＤマーク生成方法。
【請求項１０】
請求項５乃至９の何れかに記載の環状ＩＤマーク生成方法を、コンピュータで実行可能なコンピュータプログラムとして記述したことを特徴とする環状ＩＤマーク生成プログラム。
【発明の詳細な説明】
【技術分野】
【０００１】
本発明は、案内システムにおいて、方向を指示するマークを生成する技術に関するものである。
【背景技術】
【０００２】
携帯端末に搭載されたＧＰＳ（Ｇｌｏｂａｌ  Ｐｏｓｉｔｉｏｎ（Ｐｏｓｉｔｉｏｎｉｎｇ）  Ｓｙｓｔｅｍ）を用いて、携帯端末の位置を取得し、周辺情報の提供や目的地までの経路指示などの案内サービスを行うシステムが実用化されている。
【０００３】
一方、ＧＰＳが利用できない屋内で、同様のサービスを実現するためには、携帯端末の位置を取得するための別の仕組みを必要とする。このような仕組みを有するシステムは、携帯端末が主体的に位置を検出するシステムと、ネットワークシステム側で端末位置を検出するシステムに分類できる。
【０００４】
前者のシステムは、屋内各所にＩＤ（Ｉｄｅｎｔｉｆｉｅｒ；識別子）を付与し、携帯端末側に搭載したＩＤリーダによって、携帯端末周囲のＩＤを検出して位置を特定する。
【０００５】
後者のシステムは、携帯端末に周囲から読み取り可能なＩＤを付与し、屋内各所に配置したＩＤリーダによって、ネットワークシステムが該携帯端末位置を認識する。
【０００６】
後者のシステムの実現には、屋内各所にＩＤリーダを配置し、それらを接続するネットワークを構築する必要がある。後者のシステムは一般に構築コストが高いため、前者のシステムの方が実現性に優れている。
【０００７】
前者のシステムでは、携帯端末がＩＤリーダを有する必要がある。利用されるＩＤとしては、ＲＦＩＤ（Ｒａｄｉｏ  Ｆｒｅｑｕｅｎｃｙ  Ｉｄｅｎｔｉｆｉｃａｔｉｏｎ）、無線ＬＡＮ（Ｌｏｃａｌ  Ａｒｅａ  Ｎｅｔｗｏｒｋ）基地局ＩＤ，カメラ画像を画像処理することによって取得可能な画像ＩＤ（ビジュアルタグ，電子透かしＩＤ，文字列認識により得られる文字列など）が挙げられる。
【０００８】
しかし、既存の携帯電話は、ＲＦＩＤや無線ＬＡＮ基地局ＩＤを取得するためのリーダ装置を有していない。携帯電話に内蔵されたカメラを利用して周囲に掲示された画像ＩＤを認識することは可能である。しかし、利用者が逐次カメラを起動して認識処理を実行する必要があり利用操作が煩雑となる。また、より低コストになる方法（例えば、特許文献１参照）では、汎用性を有し、低コストに導入できるシステムとして、ＩＤリーダを用いずにユーザが手入力したキーを用いて場所を特定するシステムも提案されている。
【特許文献１】特開２００３−１４０５８５号公報（段落［００１８］〜［００２６］等）。
【発明の開示】
【発明が解決しようとする課題】
【０００９】
上述のように、位置を特定するために、各場所に位置を示すＩＤを文字列として表記しておき、ユーザに入力させる仕組み（例えば、特許文献１）は、ユーザの視線方向が検出できないため、視線方向へ配慮してコンテンツを構成し提示することができない。また、前記仕組みは、ユーザに対する目的地の方向指示を効率的に行えない。
【００１０】
この問題を解決するために、位置を示すＩＤを単に文字列として表記するのではなく、視線方向の検出や、方向指示に都合がよい構成で表記したマークを生成し用いることが考えられる。
【００１１】
本発明は、前記課題に基づいてなされたものであって、位置を示すＩＤを表記したマークであって、ユーザの位置および視線方向の検出に活用でき、かつ、ユーザに方向を指示する際に役立つようデザインされた環状ＩＤマークを自動的に生成する環状ＩＤマーク生成装置，環状ＩＤマーク生成方法及びその方法を実装したプログラムを提供することにある。
【課題を解決するための手段】
【００１２】
前記課題の解決を図るために、請求項１記載の発明は、１文字以上の異なる文字から構成され、位置と方向を特定するＩＤである位置方向ＩＤを表示し、かつ、該ＩＤを構成する各文字を環状に配置し、各文字が方向を指示するようにデザインされた環状ＩＤマークのデザイン情報を生成する環状ＩＤマーク生成装置であって、前記ＩＤ，環状ＩＤマークを設置する位置情報，視線方向を示す方向情報を含む位置方向ＩＤ情報を管理する位置方向ＩＤ管理手段と、前記環状ＩＤマークの位置情報を指定する位置指定手段と、前記指定された位置情報に関する指示方向の数を特定する位置方向ＩＤの文字数を決定する文字数決定手段と、前記位置方向ＩＤ管理手段に既に格納されている位置方向ＩＤと重複しない、かつ、前記決定された文字数に基づいて構成された新たな位置方向ＩＤを生成する文字列決定手段と、前記位置情報，前記新たな位置方向ＩＤ，前記新たな位置方向ＩＤに応じた前記方向情報を前記位置方向ＩＤ管理手段に格納する位置方向ＩＤ格納手段と、前記生成された新たな位置方向ＩＤを構成する文字を環状に配置し、かつ、各文字が前記指示方向を指示するようにデザインした環状ＩＤマークのデザイン情報、を出力する環状ＩＤマーク生成手段と、を備えることを特徴とする。
【００１３】
請求項２記載の発明は、請求項１に記載の発明において、前記文字列決定手段が、前記位置方向ＩＤ管理手段に既に格納されている位置方向ＩＤと重複しない、かつ、前記決定された文字数に基づいて構成された一つの新たな位置方向ＩＤを生成し、該一つの新たな位置方向ＩＤを巡回シフトして得られる他の新たな位置方向ＩＤを生成する手段、を備え、前記位置方向ＩＤ格納手段が、前記位置情報，前記一つの新たな位置方向ＩＤ，前記一つの新たな位置方向ＩＤに応じた前記方向情報を前記位置方向ＩＤ管理手段を使って格納し、前記位置情報，それぞれの他の新たな位置方向ＩＤに応じた前記方向情報を組み合わせて前記位置方向ＩＤ管理手段を使って格納する手段、を備える、ことを特徴とする。
【００１４】
請求項３記載の発明は、請求項１または２に記載の発明において、地図情報における経路情報を含む地図経路情報を管理する地図経路情報管理手段と、前記文字数決定手段が、前記地図経路情報管理手段を使って、前記指定された位置情報を起点として移動できる経路の数を特定し、特定できた経路の数を、位置方向ＩＤを構成する文字数と見做して決定する手段、を備える、ことを特徴とする。
【００１５】
請求項４記載の発明は、請求項３に記載の発明において、前記環状ＩＤマーク生成手段が、前記地図経路情報管理手段を用いて、前記指定された位置情報と、該位置情報を起点に移動できる経路方向を前記指示方向と見做し、該指示方向に基づいて、前記生成された新たな位置方向ＩＤを構成する文字を環状に配置し、かつ、各文字が前記指示方向を指示するようにデザインした環状ＩＤマークのデザイン情報を出力する手段、を備えることを特徴とする。
【００１６】
請求項５記載の発明は、１文字以上の異なる文字から構成され、位置と方向を特定するＩＤである位置方向ＩＤを表示し、かつ、該ＩＤを構成する各文字を環状に配置し、各文字が方向を指示するようにデザインされた環状ＩＤマークのデザイン情報を生成し、前記ＩＤ，環状ＩＤマークを設置する位置情報，視線方向を示す方向情報を含む位置方向ＩＤ情報を管理する位置方向ＩＤ管理手段を備える装置、に使用される環状ＩＤマーク生成方法であって、前記環状ＩＤマークの位置情報を指定する位置指定ステップと、前記指定された位置情報に関する指示方向の数を特定する位置方向ＩＤの文字数を決定する文字数決定ステップと、前記位置方向ＩＤ管理手段に既に格納されている位置方向ＩＤと重複しない、かつ、前記決定された文字数に基づいて構成された新たな位置方向ＩＤを生成する文字列決定ステップと、前記位置情報，前記新たな位置方向ＩＤ，前記新たな位置方向ＩＤに応じた前記方向情報を前記位置方向ＩＤ管理手段に格納する位置方向ＩＤ格納ステップと、前記生成された新たな位置方向ＩＤを構成する文字を環状に配置し、かつ、各文字が前記指示方向を指示するようにデザインした環状ＩＤマークのデザイン情報、を出力する環状ＩＤマーク生成ステップと、を有することを特徴とする。
【００１７】
請求項６記載の発明は、請求項５に記載の発明において、前記文字列決定ステップが、前記位置方向ＩＤ管理手段に既に格納されている位置方向ＩＤと重複しない、かつ、前記決定された文字数に基づいて構成された一つの新たな位置方向ＩＤを生成し、該一つの新たな位置方向ＩＤを巡回シフトして得られる他の新たな位置方向ＩＤを生成するステップ、を有し、前記位置方向ＩＤ格納ステップが、前記位置情報，前記一つの新たな位置方向ＩＤ，前記一つの新たな位置方向ＩＤに応じた前記方向情報を前記位置方向ＩＤ管理手段を使って格納し、前記位置情報，それぞれの他の新たな位置方向ＩＤに応じた前記方向情報を組み合わせて前記位置方向ＩＤ管理手段を使って格納するステップ、を有する、ことを特徴とする。
【００１８】
請求項７記載の発明は、１文字以上の異なる文字から構成され、位置と方向を特定するＩＤである位置方向ＩＤを表示し、かつ、該ＩＤを構成する各文字を環状に配置し、各文字が方向を指示するようにデザインされた環状ＩＤマークのデザイン情報を生成し、前記ＩＤ，環状ＩＤマークを設置する位置情報，視線方向を示す方向情報を含む位置方向ＩＤ情報を管理する位置方向ＩＤ管理手段と、地図情報における経路情報を含む地図経路情報を管理する地図経路情報管理手段と、を備える装置、に使用される環状ＩＤマーク生成方法であって、前記環状ＩＤマークの位置情報を指定する位置指定ステップと、前記指定された位置情報に関する指示方向の数を特定する位置方向ＩＤの文字数を決定する文字数決定ステップと、前記位置方向ＩＤ管理手段に既に格納されている位置方向ＩＤと重複しない、かつ、前記決定された文字数に基づいて構成された新たな位置方向ＩＤを生成する文字列決定ステップと、前記位置情報，前記新たな位置方向ＩＤ，前記新たな位置方向ＩＤに応じた前記方向情報を前記位置方向ＩＤ管理手段に格納する位置方向ＩＤ格納ステップと、前記生成された新たな位置方向ＩＤを構成する文字を環状に配置し、かつ、各文字が前記指示方向を指示するようにデザインした環状ＩＤマークのデザイン情報、を出力する環状ＩＤマーク生成ステップと、を有し、前記文字数決定ステップが、前記地図経路情報管理手段を使って、前記指定された位置情報を起点として移動できる経路の数を特定し、特定できた経路の数を、位置方向ＩＤを構成する文字数と見做して決定するステップ、を有する、ことを特徴とする。
【００１９】
請求項８記載の発明は、請求項７に記載の発明において、前記文字列決定ステップが、前記位置方向ＩＤ管理手段に既に格納されてる位置方向ＩＤと重複しない、かつ、前記決定された文字数に基づいて構成された一つの新たな位置方向ＩＤを生成し、該一つの新たな位置方向ＩＤを巡回シフトして得られる他の新たな位置方向ＩＤを生成するステップ、を有し、前記位置方向ＩＤ格納ステップが、前記位置情報，前記一つの新たな位置方向ＩＤ，前記一つの新たな位置方向ＩＤに応じた前記方向情報を前記位置方向ＩＤ管理手段を使って格納し、前記位置情報，それぞれの他の新たな位置方向ＩＤに応じた前記方向情報を組み合わせて前記位置方向ＩＤ管理手段を使って格納するステップ、を有する、ことを特徴とする。
【００２０】
請求項９記載の発明は、請求項７または８に記載の発明において、前記環状ＩＤマーク生成ステップが、前記地図経路情報管理手段を用いて、前記指定された位置情報と、該位置情報を起点に移動できる経路方向を前記指示方向と見做し、該指示方向に基づいて、前記生成された新たな位置方向ＩＤを構成する文字を環状に配置し、かつ、各文字が前記指示方向を指示するようにデザインした環状ＩＤマークのデザイン情報を出力するステップ、を有することを特徴とする。
【００２１】
請求項１０記載の発明は、環状ＩＤマーク生成プログラムであって、請求項５乃至９の何れかに記載の環状ＩＤマーク生成方法を、コンピュータで実行可能なコンピュータプログラムとして記述したことを特徴とする。
【００２２】
前記請求項１，５記載の発明は、環状ＩＤマークを構成する文字数及び文字を決定できる。
【００２３】
前記請求項２，６記載の発明は、１つ以上の位置方向ＩＤを生成できる。
【００２４】
前記請求項３，７，８記載の発明は、前記指定した位置を起点とする経路の数を特定できる。
【００２５】
前記請求項４，９記載の発明は、前記指定した位置を起点とする経路方向を指示方向と見做すことができる。
【００２６】
前記請求項１０記載の発明は、請求項５乃至９の何れかに記載の環状ＩＤマーク生成方法をコンピュータプログラムとして記載できる。
【発明の効果】
【００２７】
以上示したように請求項１，５の発明によれば、環状ＩＤマークを設置する位置を指定し、ユーザの視線方向を検出するための適切な環状ＩＤマークを自動的に生成できる。
【００２８】
請求項２，６の発明によれば、１つ以上の位置方向ＩＤを管理できる。
【００２９】
請求項３，４，７，８，９の発明によれば、前記指定した位置を起点とする経路に適した構造の環状ＩＤマークを自動的に生成できる。
【００３０】
請求項１０の発明によれば、請求項５乃至９の何れかに記載の環状ＩＤマーク生成方法を実装したコンピュータプログラムを提供できる。
【００３１】
これらを以って情報サービス分野に貢献できる。
【発明を実施するための最良の形態】
【００３２】
本実施形態における環状ＩＤマーク生成装置の構成を図１に基づいて説明する。図１の環状ＩＤマーク生成装置１は、後述する環状ＩＤマークを設置する位置を指定する位置指定手段１ａ，環状ＩＤマークを構成する位置方向ＩＤの文字数を決定する文字数決定手段１ｂ，前記位置方向ＩＤの文字列を決定する文字列決定手段１ｃ，決定された文字列に基づいて環状ＩＤマークのデザイン情報を生成する環状ＩＤマーク生成手段１ｅの各手段と、位置方向ＩＤ管理テーブル１ｄ，地図経路情報データベース１ｆを具備する。
【００３３】
なお、図示省略されているが、環状ＩＤマーク生成装置１は、位置方向ＩＤに関する情報（位置方向ＩＤ情報という）から構成された位置方向ＩＤ管理テーブル１ｄを管理する（例えば、位置方向ＩＤ情報を読み込む、または、書き出す）位置方向ＩＤ管理手段と、地図情報における経路情報（地図経路情報という）から構成された地図経路情報データベース１ｆを管理する地図経路情報管理手段と、を有する。図示省略されているが、位置方向ＩＤと方向情報を組み合わせて位置方向ＩＤ管理テーブル１ｄに格納する位置方向ＩＤ格納手段も有する。なお、前記位置方向ＩＤ格納手段は、必然的に、位置方向ＩＤ管理手段を使うことになる。
【００３４】
また、本実施形態における環状ＩＤマーク生成装置に関するデータ（もしくは情報）やプログラムは、該環状ＩＤマーク生成装置に予め備えられた汎用的な記憶部（例えば、メモリやハードディスク）に記憶され管理される。例えば、位置方向ＩＤ管理テーブル１ｄ及び地図経路情報データベース１ｆは、前記汎用的な記憶部に記憶され、管理されて良い。
【００３５】
まず、本実施形態における環状ＩＤマーク生成装置が扱う位置方向ＩＤと、環状ＩＤマークについて説明する。
【００３６】
位置方向ＩＤは、異なる複数の文字を特定の順序で並べた文字列ＩＤである。環状ＩＤマークは、位置方向ＩＤを時計回りに環状に並べたものである。
【００３７】
図２中の符号２Ａ，図３中の符号２Ｂ，図４中の符号２Ｃで示すものが環状ＩＤマークの例である。これらの例は、携帯電話での利用を前提にしたものであり、携帯電話のテンキー（例えば、ダイアルキー）で入力可能な“０”，“１”，“２”，“３”，“４”，“５”，“６”，“７”，“８”，“９”，“＊”（アスタリスク），“＃”（シャープ）の文字を使って位置方向ＩＤを構成する。
【００３８】
位置方向ＩＤを構成する文字数は、環状ＩＤマークごとによって異なっても良い。環状ＩＤマークは、ＩＤを構成する各文字を環状に配置し、各文字が方向を指示するように（例えば、環の中心から文字への方向が、指示方向と同一になるように）デザインされる。各文字は、特定の方向に向くよう（例えば、文字が環の中心から外側方向に沿って上に向くよう）に配置される。すなわち、環状ＩＤマークは、特定の向きから見ることを前提したものでなく、環状ＩＤマーク周囲のどの向きから見ても良い構成とする。なお、指示すべき方向（指示方向）とユーザの視線方向は、観点が異なるだけで、同じ方向を指すことになる。
【００３９】
図２では、３つの文字で位置方向ＩＤを構成する環状ＩＤマークの例として、環状ＩＤマーク２Ａを示している。図３では、４つの文字で位置方向ＩＤを構成する環状ＩＤマークの例として、環状ＩＤマーク２Ｂを示している。図４では、８個の文字で位置方向ＩＤを構成する例として、環状ＩＤマーク２Ｃを示している。いずれの場合も、一つの位置方向ＩＤに同じ文字が含まれないように構成する。これにより、該環状ＩＤマーク上において一つの文字が一つの方向を明示するようにしている。例えば、環状ＩＤマーク２Ａにおける符号２Ａａ，２Ａｂ，２Ａｃで示される文字のように構成する。
【００４０】
上述したように、環状ＩＤマークに提示される位置方向ＩＤを構成する文字数は、１文字以上であれば、何文字であってもよい。例えば、“１２３＃”という４文字の位置方向ＩＤや、“１２”という２文字の位置方向ＩＤや、“１２３４５６７８”という８文字の位置方向ＩＤを利用することも可能である。環状ＩＤマークが指示するべき方向が、高々２つである場合には、２文字でＩＤを含む環状ＩＤマークを用いることができる。一方、８つ方向へ分岐する地点などでは、環状ＩＤマークを指示すべき方向が８つある。この場合、２文字のＩＤを含む環状ＩＤマークを用いることができる。
【００４１】
即ち、文字数は位置方向ＩＤを固有化する特徴である。文字数、文字を並べる順序、含まれる文字の３つの要素を一意に定めることで一つ位置と方向を特定するための位置方向ＩＤが決定される。
【００４２】
環状ＩＤマークの利用に際して、ユーザは、環状ＩＤマークが配置されている各ポイントで、環状ＩＤマーク上の文字を、ユーザの視点に基づいた所定の順序で携帯電話のテンキーを用いて入力する。例えば、ユーザは、環状ＩＤマーク上の複数の文字を、利用者から見て環状ＩＤマークの上部に位置する文字から時計周りの順に入力する。
【００４３】
この場合、例えば、図３に示す４つの文字を含む環状ＩＤマークについては、図５に示すように、利用者の視線方向に応じて、“１２３＃”、“２３＃１”、“３＃１２”、“＃１２３”のＩＤが入力される。これらの位置方向ＩＤは、全て同じ位置を示す。さらに具体的には、図５に示す４つの文字を含む環状ＩＤマーク２Ａについては、利用者の視線方向に応じて、視線方向Ａでは“１２３＃”ｉｄ１、視線方向Ｂでは“２３＃１”ｉｄ２、視線方向Ｃでは“３＃１２”ｉｄ３、視線方向Ｄでは“＃１２３”ｉｄ４のＩＤが入力される。なお、逆に反時計周りの順に入力するものとしても良い。
【００４４】
また、“１２３＃”ｉｄ１は、図５中の環状ＩＤマーク上において文字“１”が示す方向Ａ（が視線方向であること）を特定する。同様に、“２３＃１”ｉｄ２は、図５中の環状ＩＤマーク上において文字“２”が示す方向Ｂを、“３＃１２”ｉｄ３は文字“３”が示す方向Ｃを、“＃１２３”ｉｄ４は文字“＃”が示す方向Ｄを特定する位置方向ＩＤとなる。
【００４５】
なお、“０”，“１”，“２”，“３”，“４”，“５”，“６”，“７”，“８”，“９”，“＊”（アスタリスク），“＃”（シャープ）の１２文字を用いる場合、Ｎ文字のＩＤで識別可能な地点の数は、（１２！／（１２−Ｎ）！）／Ｎで与えられる。即ち、１２文字から異なるＮ文字を取りだして構成される順列の種類が１２！／（１２−Ｎ）！となる。さらに、円周状に配置するため、Ｎ文字の順列の各文字を巡回シフトして得られるＮ種類の順列は同一の地点を示す。結果として、（１２！／（１２−Ｎ）！）／Ｎ個の異なる地点を識別するためのＩＤが既定できる。
【００４６】
例えば、１文字のＩＤでは１２地点、２文字では６６地点、３文字では４４０地点、４文字では２９７０地点、５文字では１９００８地点、６文字では１１０８８０地点、７文字では５７０２４０地点、８文字では２４９４８００地点を識別できる。
【００４７】
展示ホール，博物館，美術館など各施設内に本実施形態における環状ＩＤマーク生成装置が生成する環状ＩＤマークのデザイン情報を応用した案内サーバ装置を設置し、案内サービスを実施する場合、施設の規模にも依存するが、設置される環状ＩＤマークの数（すなわち、識別すべき地点数）は、多くても１０００個程度であると予測される。したがって、４文字のＩＤでも十分に実用的である。また、３文字以下のＩＤを用いる場合でも、１２＋６６＋４４０＝５１８地点にＩＤを付与でき、多くの施設をサポートできる。
【００４８】
次に、位置方向ＩＤ管理テーブルを図６に基づいて説明する。上述したように、一つの位置方向ＩＤは、一つの位置と方向を特定する。位置方向ＩＤ管理テーブルでは、位置方向ＩＤ毎に、対応する位置座標と、方向を管理している。
【００４９】
例えば、図６中の位置方向ＩＤ管理テーブル１ｄは、連番フィールドＦ１１、ＩＤフィールドＦ１２、位置情報フィールドＦ１３、方向情報フィールドＦ１４、経路終点位置情報フィールドＦ１５を含む位置方向ＩＤ情報を有する。
【００５０】
ＩＤフィールドＦ１２は、既に定義された全ての位置方向ＩＤの値を保持する。
【００５１】
位置情報フィールドＦ１３は、各位置方向ＩＤに対応する位置を示す情報を保持する。すなわち、該ＩＤを有する環状ＩＤマークの位置を保持する。位置情報は、（緯度，経度，高度）や（緯度，経度，フロア番号）を用いて表現してよい。また、特定のスペースで実施する場合、そのスペースの基準座標を原点とし、所定の距離（１ｍ（メートル），１０ｍなど）を単位として、（ｘ座標，ｙ座標，ｚ座標）といった形で表現しても良い。なお、図６の例では、（ｘ座標，ｙ座標，フロア番号）で、位置情報を示している。
【００５２】
方向情報フィールドＦ１４は、視線方向を示すためのフィールドである。位置情報と同じ座標系において、対応する視線方向を示すベクトル情報を保持している。例として、図５には、４文字の位置方向ＩＤを示す環状ＩＤマークを用いて入力される４種類の位置方向ＩＤと、それぞれの方向情報（図５中の符号ｖ１〜ｖ４で示す方向情報）の記述例を示す。なお、図５中の符号ＶＳで示すものが方向情報に関する方向ベクトル座標系を表す。
【００５３】
次に、地図経路情報データベース１ｆを説明する。地図経路情報データベース１ｆとは、ＧＰＳを用いたナヴィゲーションシステムやＧＩＳ（Ｇｅｏｇｒａｐｈｉｃａｌ  Ｉｎｆｏｒｍａｔｉｏｎ  Ｓｙｓｔｅｍ）で広く利用されている道路などの経路グラフを含んだ地図データベースである。この地図データベースは、屋外の道路情報に限らず、建物内の経路情報を管理するものであってよい。建物内についても、ＧＩＳで利用されるものと同じように経路情報を含んだ地図データベースを構成できる。このようなデータベースでは、道路上の任意位置を指定すれば、そこから分岐される経路がいくつあるかということや、経路の方向が特定できる。
【００５４】
［実施例１］
以下に、本実施例１における環状ＩＤマーク生成装置の動作を図７に基づいて具体的に説明する。なお、以下の説明で図１中の符号と同じものの説明は省略する。
【００５５】
まず、位置指定手段１ａは、ユーザに対して環状ＩＤマークを配置する手段を提供する。具体的な位置指定のための手段は、環状ＩＤマークの位置を指定できる手段であれば、どのようなものであっても良い。
【００５６】
例えば、世界座標系の座標値を直接入力させる形式でも良い。あるいは、図７に示すように、画面上に地図経路情報画面１００を表示し、ポインティングデバイス（例えば、マウス）による操作によって、環状ＩＤマークを配置する位置を指定する形式でよい。
【００５７】
より具体的には、図７に示すように、環状ＩＤマークを示すアイコンＩｃｎで、地図経路情報画面１００の所望の位置Ｐに置く（例えば、ドラッグアンドドロップを行って置く）ことによって、環状ＩＤマークを配置する位置を指定する。
【００５８】
上述のようなユーザ操作によって、位置指定手段１ａは、環状ＩＤマークが新たに配置される位置の位置情報を取得し、文字数決定手段１ｂへ送信する。
【００５９】
次に、文字数決定手段１ｂは、前記指定された位置に関する指示すべき方向の数（即ち、指示方向数；例えば、経路方向の数や広告などの掲示物がある方向、案内すべき方向）を特定するための位置方向ＩＤの文字数を決定する。実施例１においては、文字数決定手段１ｂは、位置方向ＩＤの文字数を、単に予め既定された文字数に設定する。
【００６０】
なお、以下の説明では、既に位置方向ＩＤは常に４文字で構成することが規定されているものとする。文字数決定手段１ｂは、前記規定に従って、新たに生成する位置方向ＩＤの文字数を４文字とする。さらに、文字数と、前記位置情報を文字列決定手段１ｃに送信する。
【００６１】
次に、文字列決定手段１ｃは、前述の位置方向ＩＤ管理テーブル（図６）を参照し、既に定義されている位置方向ＩＤと重複しない新たな位置方向ＩＤを生成する。例えば、以下のような手順で生成する。
（ステップ１）文字数決定手段１ｃにより決定された文字数が４であるので、４文字の異なる文字をランダムに選択して並べた文字列を生成する。
（ステップ２）前記位置方向ＩＤ管理テーブルを参照し、生成した文字列と同じ文字列（例えば、完全一致する文字列）が位置方向ＩＤ管理テーブル中の位置方向ＩＤに在れば、ステップ１に戻る。無ければ、生成した文字列を新しい位置方向ＩＤとして採用する。
【００６２】
なお、他の位置方向ＩＤ生成手順は上述以外に、ランダムでなく、所定の規則に従って、文字列を生成し、重複がなければ採用するといった方法でもよい。
【００６３】
また、テンキーで入力可能な文字“０”，“１”，“２”，“３”，“４”，“５”，“６”，“７”，“８”，“９”，“＊”，“＃”を用いた文字列を生成する際に、できるかぎりユーザが覚えやすい位置方向ＩＤを生成するために、まず、“＊”，“＃”以外の文字を使った文字列を優先的に生成することもできる。
【００６４】
そして、文字列決定手段１ｃは、上述の手順によって新たな位置方向ＩＤを一つ決定すると、その新たな位置方向ＩＤを巡回シフトして他の新たな位置方向ＩＤを生成する。例えば、位置方向ＩＤが“１２３＃”、位置情報が（５，５，１）であった場合、“１２３＃”と同じ位置（５，５，１）を示し、別の方向を指示する位置方向ＩＤである“２３＃１”，“３＃１２”，“＃１２３”を、前記“１２３＃”を巡回シフトして生成し、それぞれに対応する方向情報（例えば、図５中の符号ｖ２，ｖ３，ｖ４で示すような方向情報）を加えて、前記新たな位置方向ＩＤと他の新たな位置方向ＩＤを、位置方向ＩＤ格納手段を使って、位置方向ＩＤ管理テーブル１ｄへ格納する。その後、環状ＩＤマーク生成手段１ｅへ、前記新たな位置方向ＩＤを送信する。
【００６５】
環状ＩＤマーク生成手段１ｅは、受信された前記新たな位置方向ＩＤを用いて、環状ＩＤマークをデザインし、そのデザイン情報を出力する。例として、位置方向ＩＤとして“１２３＃”が受信された場合を考える。この場合、環状ＩＤマーク生成手段は、図３に示すような位置方向ＩＤを構成する各文字“１”，“２”，“３”，“＃”が４方向に配置された環状ＩＤマーク２Ｂのデザイン情報を生成する。
【００６６】
実際には、例えば、そのデザイン情報に基づいた印刷物を作成し、その印刷物を位置情報と方向情報に従って、設置することになる。なお、デザイン情報の実体としては、Ｐｏｓｔｓｃｒｉｐｔ（登録商標）データやＣＡＤ（Ｃｏｍｐｕｔｅｒ  Ａｉｄｅｄ  Ｄｅｓｉｇｎ）用データなどが考えられる。例えば、デザイン情報は、位置方向ＩＤを含むＰｏｓｔｓｃｒｉｐｔ（登録商標）データが考えられる。このデータ（あるいは、そのデータを含むファイル）をＰｏｓｔｓｃｒｉｐｔ（登録商標）用プリンタで印刷すれば、所望の環状ＩＤマークの実体が得られる。
【００６７】
位置指定手段１ａが図７に示すような地図経路情報画面１００を有したＧＵＩ（Ｇｒａｐｈｉｃａｌ  Ｕｓｅｒ  Ｉｎｔｅｒｆａｃｅ）を有する場合、環状ＩＤマーク生成手段１ｅは、位置方向ＩＤ，位置情報を位置方向ＩＤ管理テーブル１ｄから読み出し、前記生成された環状ＩＤマークのデザイン情報に基づいた画像を地図経路情報画面１００内の指定位置に提示する。
【００６８】
［実施例２］
本実施例２における環状ＩＤマーク生成装置は、さらに、地図経路情報を活用して、自動的に、生成する位置方向ＩＤの文字数や、環状ＩＤマーク上の文字配置を行う。この実施例２における環状ＩＤマーク生成装置の動作を以下に説明する。
【００６９】
まず、ユーザは、実施例１のように、位置指定手段１ａを用いて新たに環状ＩＤマークを配置する位置を指定する。
【００７０】
次に、文字数決定手段１ｂは、地図経路情報データベース１ｆを参照し、前記指定された位置を起点として移動することができる経路の数を特定する。そして、検出された移動可能経路数を、位置方向ＩＤを構成する文字数と見做して決定する。
【００７１】
例えば、図８中の４方向（即ち、符号ｃ１１〜ｃ１４経路方向）に分岐する地点Ｐ１が環状ＩＤマークの配置位置として指定された場合には、位置方向ＩＤの文字数を４文字とする。また、図９中の３方向（即ち、符号ｃ２１〜ｃ２３経路方向）に分岐する地点Ｐ２が指定された場合には、位置方向ＩＤの文字数を３文字とする。
【００７２】
文字数決定手段１ｂは、上述のような手順で決定された位置方向ＩＤの文字数と、前記位置情報を文字列決定手段１ｃに送信する。
【００７３】
次に、文字列決定手段１ｃは、前述の位置方向ＩＤ管理テーブル１ｄを参照し、既に定義されている位置方向ＩＤと重複しない新たな位置方向ＩＤを生成する。この手順は、上述の実施例１と同様である。文字列決定手段１ｃは、新たな位置方向ＩＤを一つ決定すると、環状ＩＤマーク生成手段１ｅへ、該新たな位置方向ＩＤと、前記位置情報を送信する。
【００７４】
次に、環状ＩＤマーク生成手段１ｅは、受信した前記新たな位置方向ＩＤと、前記位置情報、さらに、地図経路情報データベース１ｆから得られる経路情報を用いて、環状ＩＤマークをデザインする。この際、特に、環状ＩＤマーク生成手段１ｅは、前記位置情報で示されたマーク配置位置と、そこから移動できる経路の存在方向を指示方向と見做し、該指示方向に基づいて、環状ＩＤマーク上の各文字の配置位置を決める。
【００７５】
例えば、図８に示すように、図中のマーク配置位置Ｐ１を基点として、上下左右に経路が存在に、各文字を上下左右に配置し、それぞれの経路方向ｃ１１〜ｃ１４を指示するようにする。また、図９に示すように、上方向一つ、下方向に二つとなる場合には、位置方向ＩＤを構成する３文字を図９中に示すマークのように配置し、各文字がそれぞれの経路方向ｃ２１〜ｃ２３を指示するように構成する。
【００７６】
そして、環状ＩＤマーク生成手段１ｅは、上述のような方法で、マーク上の文字配置を行った後、各方向を指示する位置方向ＩＤを生成し、それぞれに対応する方向情報を算出し、位置情報とともに位置方向ＩＤ管理テーブル１ｄへ登録する。
【００７７】
［実施例３］
本実施例３における環状ＩＤマーク生成装置は、機能的な図形と環状ＩＤマークを組み合わせてデザイン情報を生成する。前記組み合せを図１０〜図１８に基づいて以下に説明する。
【００７８】
本実施例３における環状ＩＤマーク生成手段は、環状ＩＤマークを利用するシステムのサービスサイトへユーザがアクセスしやすいように、所定のＵＲＬを埋め込んだ２次元コード（例えば、ＱＲ（Ｑｕｉｃｋ  Ｒｅｓｐｏｎｓｅ）コード（登録商標）、例えば、図１０中の２次元コードｃｄ）を添付した環状ＩＤマークのデザイン情報を生成する場合もある。
【００７９】
また、位置情報ＩＤを構成する文字を提示する部分以外のエリア（デザイン領域、例えば、図１０中のデザイン領域ｄｗ）に様々なデザインを適用した環状ＩＤマークのデザイン情報を生成しても良い。例えば、企業ロゴ，広告情報など添付した環状ＩＤマークのデザイン情報を生成する場合もある。
【００８０】
また、実施例３の環状ＩＤマーク生成手段は、ユーザが、文字の入力順序を理解しやすいように、時計回りの方向への流れを、矢印などで明示したデザインを含む環状ＩＤマークを構成する。
【００８１】
例えば、実際の環境において床面に添付される環状ＩＤマークのサイズを縦長ｈ１×横長ｗ１が１．０（ｍ（メートル））×１．０（ｍ）とし、このサイズで、４文字（文字Ｌ１〜Ｌ４）の位置方向ＩＤを示す環状ＩＤマークをデザインし、そのデザイン情報を生成する場合、以下の条件を満たすように、環状ＩＤマークのデザイン情報をデザインし出力する。図１０に基づいて、前記条件を説明する。
【００８２】
まず、ユーザが位置方向ＩＤを構成する文字を視認しやすいように、各文字のサイズは、縦長ｈ３×横長ｗ３＝０．２（ｍ）×０．２（ｍ）程度とする。少なくとも、縦長ｈ３×横長ｗ３＝０．１８（ｍ）×０．１８（ｍ）以上の文字サイズを利用し、かつ、この範囲で縦長及び横長のデザインフォントを使って文字を表記しても良い。
【００８３】
また、二次元コードを添付する場合においては、ユーザが、立った状態で検出できるようにするため、例えば、ＱＲコード（登録商標）のような二次元コードｃｄの場合は、枠（ホワイトマージン）を含めて縦長ｈ２×横長ｗ２＝０．２５（ｍ）×０．２５（ｍ）以上のサイズにして添付する。なお、二次元コードｃｄの配置位置は、位置方向ＩＤを示す文字と重ならなければどこでも良い。これらの文字および二次元コードの添付範囲以外はデザイン領域として、事前に設定された多様なデザインや広告情報を埋め込むことができる。
【００８４】
環状ＩＤマーク生成手段が既定のデザイン情報（テンプレートのデザイン情報）を活用して生成する環状ＩＤマークの例を図１１〜図１８に示す。
【００８５】
図１１〜図１８の環状ＩＤマークを構成する文字は、図１１では文字Ｌ１１〜Ｌ１４、図１２では文字Ｌ２１〜Ｌ２４、図１３では文字Ｌ３１〜Ｌ３４、図１４ではＬ４１〜Ｌ４４、図１５では文字Ｌ５１〜Ｌ５４、図１６では文字Ｌ６１〜Ｌ６４、図１７では文字Ｌ７１〜Ｌ７４，図１８ではＬ８１〜Ｌ８４である。
【００８６】
二次元コードは、図１１では符号ｃｄ１、図１２では符号ｃｄ２、図１３では符号ｃｄ２、図１３では符号ｃｄ３、図１４では符号ｃｄ４、図１５では符号ｃｄ５，図１６では符号ｃｄ６である。
【００８７】
文字入力順序を示す矢印は、図１１では符号ｒｖ１、図１２では符号ｒｖ２、図１３では符号ｒｖ３、図１４では符号ｒｖ４、図１５では符号ｒｖ５、図１６では符号ｒｖ６、図１７では符号ｒｖ７、図１８では符号ｒｖ８である。
【００８８】
なお、本実施形態の環状ＩＤマーク生成装置における各手段の一部もしくは全部の機能をコンピュータのプログラムで構成し、そのプログラムをコンピュータを用いて実行して本発明を実現することができること、本実施形態の環状ＩＤマーク生成方法における手順をコンピュータのプログラムで構成し、そのプログラムをコンピュータに実行させることができることは言うまでもない。
【００８９】
本実施形態における環状ＩＤマーク生成装置は、複数の異なる文字の列を位置方向ＩＤとし、位置方向ＩＤを構成する各文字を環状に配置し、各文字が方向を指示するようにデザインした環状ＩＤマークのデザイン情報を生成することを特徴とする。
【００９０】
この環状ＩＤマークは、通常、床面に添付され利用される。環状ＩＤマークの利用時、ユーザは、視点から見て環状マーク上の上部にある文字より時計回りの順で各文字を入力する。結果、入力されるＩＤ（位置方向ＩＤ）は、利用者がどの方向から環状ＩＤマークを見るかによって異なる。環状ＩＤマークを活用する各種システムは、この点を利用して、利用者の視線方向を検出し、提供するコンテンツ表示方法を変換するなどユーザインタフェースの利便性改善を行える。さらに、当該システムでは、検出された視線方向を利用して提供する情報が関連する場所の方向を指示することができる。また、環状ＩＤマーク上の文字を案内情報選択のための指示記号として利用することで、ユーザが、場所に連携された案内情報へスムーズにアクセスできる。
【００９１】
各位置に配置される環状ＩＤマークを適切に構成することにより、各種サービスシステムが上述した機能を実現でき、単に文字列としてＩＤを表記するシステム（特許文献１参照）に係る課題が改善される。
【００９２】
各位置に配置される環状ＩＤマークのデザイン情報を適切に生成するために、本実施形態における環状ＩＤマーク生成装置は、既に登録された位置方向ＩＤを管理する位置方向ＩＤテーブルと、新たに、環状ＩＤマークを配置する位置を指定する位置指定手段と、該位置に対応する位置方向ＩＤを構成する文字数を決定する文字数決定手段と、位置方向ＩＤテーブルを参照し、他の位置に対応する位置方向ＩＤと重複しないように、該位置に対応する位置方向ＩＤを構成する文字の列を決定する文字列決定手段と、該位置に対応する環状ＩＤマークを構成する環状ＩＤマーク生成手段を具備した。
【００９３】
また、経路構造に応じて、最適な位置方向ＩＤの文字数を自動的に決定するために、本発明の環状ＩＤマーク生成装置は、さらに、地図経路情報データベースを具備し、前記文字数決定手段は、前記位置指定手段により指定された位置を起点に移動できる経路方向の数を、地図経路情報データベースを参照して検出し、検出された経路の数に基づいて位置方向ＩＤを構成する文字数を決定するものとした。
【００９４】
また、マーク上の文字が各経路方向を適切に示すように配置する処理を自動化するために、本発明の環状ＩＤマーク生成装置の環状マーク生成手段は、地図経路情報データベースを参照して、前記指定された位置と、該位置を起点に移動できる経路方向に基づいて、環状マーク上の文字配置を行うものとした。
【００９５】
携帯電話を用いて簡単に入力可能な位置方向ＩＤを生成するために、前記環状ＩＤマーク生成装置は、テンキーで入力可能な“０”，“１”，“２”，“３”，“４”，“５”，“６”，“７”，“８”，“９”，“＊”，“＃”を用いて前記位置方向ＩＤを構成するものとした。
【００９６】
以上のように、本実施形態における環状ＩＤマーク生成装置が生成する環状ＩＤマークは、主にＧＰＳの利用できない屋内で、携帯電話を中心とする既存端末に各種案内サービスを提供するために利用できる。
【００９７】
また、生成される環状ＩＤマークのデザイン情報上のＩＤを構成する文字は、テンキーなどを用いて直接入力できるので、例えば、携帯電話での利用を容易にできる。
【００９８】
例えば、イベント会場、博物館、美術館などの床面に、本発明の装置で生成した環状ＩＤマークのデザイン情報に基づいた環状ＩＤマークの実体を設置し、案内サービスシステムが、ユーザの位置と視線方向を検出するための手段として活用する。同様に、環状ＩＤマークは、地下街、ショッピングモールなどに設置し、利用者周囲の店舗情報の提供や、所望の店舗までのナビゲーションサービスなどに利用できる。
【００９９】
近年、公共スペースにおける新しい広告媒体として、床面広告やフロアグラフィクスが注目されている。床面広告と融合した環状ＩＤマークは、静的な広告媒体としてだけでなく、位置情報、視線方向情報に基づいて各種情報を提供するシステムと連携し、利用者が携帯電話へ広告関連情報を取得するための手段として活用できる。
【０１００】
以上、本発明の実施形態について説明したが、本発明は説明した実施形態に限定されるものでなく、各請求項に記載した範囲において各種の変形を行うことが可能である。
【０１０１】
例えば、前記文字列決定手段は、４文字で構成され重複のない位置方向ＩＤを格納した配列を予め生成しておき、その配列から位置方向ＩＤを順次に払い出し、その払い出した位置方向ＩＤを新しい位置方向ＩＤとして扱っても良い。
【図面の簡単な説明】
【０１０２】
【図１】本実施形態における環状ＩＤマーク生成装置の基本構成図。
【図２】環状ＩＤマークの構成例１を示す図。
【図３】環状ＩＤマークの構成例２を示す図。
【図４】環状ＩＤマークの構成例３を示す図。
【図５】環状ＩＤマークに対する視線方向と入力ＩＤ、方向情報の関係を示す図。
【図６】位置方向ＩＤ管理テーブルの構成図。
【図７】位置指定手段のユーザインタフェース画面の一例を示す図。
【図８】経路が４分岐する地点に配置された環状ＩＤマークの構成例を示す図。
【図９】経路が３分岐する地点に配置された環状ＩＤマークの構成例を示す図。
【図１０】４文字で構成される位置方向ＩＤを表記する環状ＩＤマークのデザイン条件の一例を示す図。
【図１１】４文字の位置方向ＩＤを表記する環状ＩＤマークのデザイン例１を示す図。
【図１２】４文字の位置方向ＩＤを表記する環状ＩＤマークのデザイン例２を示す図。
【図１３】４文字の位置方向ＩＤを表記する環状ＩＤマークのデザイン例３を示す図。
【図１４】４文字の位置方向ＩＤを表記する環状ＩＤマークのデザイン例４を示す図。
【図１５】４文字の位置方向ＩＤを表記する環状ＩＤマークのデザイン例５を示す図。
【図１６】４文字の位置方向ＩＤを表記する環状ＩＤマークのデザイン例６を示す図。
【図１７】４文字の位置方向ＩＤを表記する環状ＩＤマークのデザイン例７を示す図。
【図１８】４文字の位置方向ＩＤを表記する環状ＩＤマークのデザイン例８を示す図。
【符号の説明】
【０１０３】
１…環状ＩＤマーク生成装置
１ａ…位置指定手段
１ｂ…文字数決定手段
１ｃ…文字列決定手段
１ｄ…位置方向ＩＤ管理テーブル
１ｅ…環状ＩＤマーク生成手段
１ｆ…地図経路情報データベース
２Ａ，２Ｂ，２Ｃ，２Ｄ…環状ＩＤマーク
２Ａａ，２Ａｂ，２Ａｃ…文字
１００…地図経路情報画面
Ａ，Ｂ，Ｃ，Ｄ…視線方向
ｉｄ１，ｉｄ２，ｉｄ３，ｉｄ４…位置方向ＩＤ
Ｉｃｎ…アイコン
Ｐ，Ｐ１，Ｐ２…環状ＩＤマークを配置する位置（分岐地点）
Ｆ１１…連番フィールド
Ｆ１２…ＩＤフィールド
Ｆ１３…位置情報フィールド
Ｆ１４…方向情報フィールド
Ｆ１５…経路終点位置情報フィールド
Ｌ１〜Ｌ４，Ｌ１１〜Ｌ１４，Ｌ２１〜Ｌ２４，Ｌ３１〜Ｌ３４，Ｌ４１〜Ｌ４４，Ｌ５１〜Ｌ５４，Ｌ６１〜Ｌ６４，Ｌ７１〜Ｌ７４，Ｌ８１〜Ｌ８４…文字
ＶＳ…方向情報に関する方向ベクトル座標系
ｃ１１〜ｃ１４，ｃ２１〜ｃ２３…経路方向
ｃｄ，ｃｄ１〜ｃｄ６…二次元コード
ｄｗ…デザイン領域
ｈ１…環状ＩＤマークの縦長
ｈ２…二次元コードの縦長
ｈ３…文字の縦長
ｒｖ１〜ｒｖ８…文字入力順序を示す矢印
ｖ１〜ｖ４…方向情報
ｗ１…環状ＩＤマークの横長
ｗ２…二次元コードの横長
ｗ３…文字の横長
【図１】
2008122739.tif 000003
【図２】
2008122739.tif 000004
【図３】
2008122739.tif 000005
【図４】
2008122739.tif 000006
【図５】
2008122739.tif 000007
【図６】
2008122739.tif 000008
【図７】
2008122739.tif 000009
【図８】
2008122739.tif 000010
【図９】
2008122739.tif 000011
【図１０】
2008122739.tif 000012
【図１１】
2008122739.tif 000013
【図１２】
2008122739.tif 000014
【図１３】
2008122739.tif 000015
【図１４】
2008122739.tif 000016
【図１５】
2008122739.tif 000017
【図１６】
2008122739.tif 000018
【図１７】
2008122739.tif 000019
【図１８】
2008122739.tif 000020